(57)【要約】【課題】部品点数の削減により、組立てが容易となり、生産性の向上を図ることができる半嵌合防止防水コネクタを提供する。【解決手段】半嵌合防止防水コネクタ１０は、フード部２２内に一方の端子２６を有し、フード部２２の外側にロックアーム２３を有する一方のコネクタ２０と、端子収容部３２に他方の端子３６を有し、端子収容部３２の外側にフード部２２が嵌合されるコネクタ嵌合室３５を有する他方のコネクタ３０と、コネクタ嵌合室３５内に設けられてフード部２２の押圧により弾性変形して端子収容部３２とフード部２２間をシール自在にし、ロックアーム２３のロック部２４が他方のコネクタ３０の係止部３４ａに係止されるまでの両コネクタ２０，３０の半嵌合時に一方のコネクタ２０を反嵌合方向Ｂに付勢して両コネクタ２０，３０を離間させる弾性力を有する防水部材３８と、を備えた。【選択図】図１
2018206657.tif 000002
【特許請求の範囲】
【請求項１】
フード部内に一方の端子を有し、前記フード部の外側にロックアームを有する一方のコネクタと、
端子収容部に他方の端子を有し、前記端子収容部の外側に前記フード部が嵌合されるコネクタ嵌合室を有する他方のコネクタと、
前記コネクタ嵌合室内に設けられて前記フード部の押圧により弾性変形して前記端子収容部と前記フード部間を密閉自在にし、前記ロックアームのロック部が前記他方のコネクタの係止部に係止されるまでの前記両コネクタの半嵌合時に前記一方のコネクタを反嵌合方向に付勢して前記両コネクタを離間させる弾性力を有する防水部材と、
を備えたことを特徴とする半嵌合防止防水コネクタ。
【請求項２】
請求項１記載の半嵌合防止防水コネクタであって、
前記コネクタ嵌合室を、前記端子収容部となる内側ハウジングと、前記内側ハウジングより隔壁を介して外側に設けられた外側ハウジングとで形成し、前記両コネクタの嵌合時に前記フード部の先端により前記防水部材が圧縮変形して前記内側ハウジングと前記フード部間を密閉自在にしたことを特徴とする半嵌合防止防水コネクタ。
【発明の詳細な説明】
【技術分野】
【０００１】
本発明は、半嵌合防止機能と防水機能を備えた半嵌合防止防水コネクタに関する。
【背景技術】
【０００２】
この種の半嵌合防止防水コネクタとして、図５と図６に示すものが知られている。この半嵌合防止防水コネクタ１は、図５と図６に示すように、雄ハウジング３のフード部３ａ内に雄端子４を有し、フード部３ａの外側にロックアーム３ｂを有する雄コネクタ２と、雌ハウジング６の端子収容部６ａに雌端子７を有し、端子収容部６ａの外側にフード部３ａが嵌合されるコネクタ嵌合室６ｂを有する雌コネクタ５と、コネクタ嵌合室６ｂの奥に設けられ、フード部３ａの先端部が当接して端子収容部６ａとフード部３ａ間をシールする防水用のパッキン８と、端子収容部６ａの中央に形成されたバネ収容部６ｄ内に介在され、ロックアーム３ｂのロック突部３ｃが雌ハウジング６の係止突起６ｃに係止されるまでの両コネクタ２，５の半嵌合時にフード部３ａの中央に突出した押圧部３ｄにより圧縮変形されて、雄コネクタ２を反嵌合方向（嵌合方向Ａの逆方向）Ｂに付勢して両コネクタ２，５を離間させる圧縮コイルバネ９と、を備えている。
【０００３】
そして、半嵌合（中途嵌合）を防止するために、雄，雌コネクタ２，５の嵌合時の挿入力より圧縮コイルバネ９の反発力を強くすることで、雄ハウジング３のロックアーム３ｂのロック突部３ｃと雌ハウジング６の係止突起６ｃとが係止するまで、雄ハウジング３が圧縮コイルバネ９の弾性力（復元力）により雄端子４と雌端子７が接触しない状態まで押し戻され、雄，雌コネクタ２，５の半嵌合において雄端子４と雌端子７は導通しないようになっている。
【先行技術文献】
【特許文献】
【０００４】
【特許文献１】特開平９−１２９３１３号公報
【発明の概要】
【発明が解決しようとする課題】
【０００５】
しかしながら、前記従来の半嵌合防止防水コネクタ１では、半嵌合防止用の圧縮コイルバネ９と防水用のパッキン８とが別部材であるため、その分、部品点数が多く、組立てに時間がかかる等、生産性が悪くなっている。
【０００６】
そこで、本発明は、前記した課題を解決すべくなされたものであり、部品点数の削減により、組立てが容易となり、生産性の向上を図ることができる小型の半嵌合防止防水コネクタを提供することを目的とする。
【課題を解決するための手段】
【０００７】
本発明は、半嵌合防止機能と防水機能を備えた半嵌合防止防水コネクタであって、フード部内に一方の端子を有し、前記フード部の外側にロックアームを有する一方のコネクタと、端子収容部に他方の端子を有し、前記端子収容部の外側に前記フード部が嵌合されるコネクタ嵌合室を有する他方のコネクタと、前記コネクタ嵌合室内に設けられて前記フード部の押圧により弾性変形して前記端子収容部と前記フード部間を密閉自在にし、前記ロックアームのロック部が前記他方のコネクタの係止部に係止されるまでの前記両コネクタの半嵌合時に前記一方のコネクタを反嵌合方向に付勢して前記両コネクタを離間させる弾性力を有する防水部材と、を備えたことを要旨とする。
【０００８】
また、本発明の半嵌合防止防水コネクタは、前記コネクタ嵌合室を、前記端子収容部となる内側ハウジングと、前記内側ハウジングより隔壁を介して外側に設けられた外側ハウジングとで形成し、前記両コネクタの嵌合時に前記フード部の先端により前記防水部材が圧縮変形して前記内側ハウジングと前記フード部間を密閉自在にしたことを特徴とする。
【発明の効果】
【０００９】
本発明によれば、一方のコネクタのフード部と他方のコネクタの端子収容部との間をシールする防水部材を、両コネクタの半嵌合時に一方のコネクタを反嵌合方向に付勢して両コネクタを離間させる付勢部材として兼用したことにより、その分、部品点数を削減することができ、組み立てが容易となって生産性を向上させることができる。また、バネ等の弾性部材を使用しないため、コネクタ全体を小型化することができる。
【図面の簡単な説明】
【００１０】
【図１】本発明の一実施形態の半嵌合防止防水コネクタの要部を断面で示す斜視図である。
【図２】上記半嵌合防止防水コネクタの嵌合前で防水部材が弾性変形する前の状態を示す断面図である。
【図３】上記半嵌合防止防水コネクタの嵌合途中で防水部材が弾性変形する状態を示す断面図である。
【図４】上記半嵌合防止防水コネクタの嵌合完了状態を示す断面図である。
【図５】従来の半嵌合防止防水コネクタの嵌合前の状態を示す説明図である。
【図６】上記従来の半嵌合防止防水コネクタの嵌合完了の状態を示す説明図である。
【発明を実施するための形態】
【００１１】
以下、本発明の一実施形態を図面に基づいて説明する。
【００１２】
図１は本発明の一実施形態の半嵌合防止防水コネクタの要部を断面で示す斜視図、図２は同コネクタの嵌合前で防水部材が弾性変形する前の状態を示す断面図、図３は同コネクタの嵌合途中で防水部材が弾性変形する状態を示す断面図、図４は同コネクタの嵌合完了状態を示す断面図である。
【００１３】
図１〜図４に示すように、半嵌合防止防水コネクタ１０は、硬質合成樹脂製の雄ハウジング２１の円筒状のフード部２２内に複数の雄端子（一方の端子）２６を有し、フード部２２の外側に一対のロックアーム２３，２３を有する雄コネクタ（一方のコネクタ）２０と、硬質合成樹脂製の雌ハウジング３１の端子収容部３２に複数の雌端子（他方の端子）３６を有し、内側ハウジング（端子収容部）３２の外側にフード部２２が嵌合されるコネクタ嵌合室３５を有する雌コネクタ（他方のコネクタ）３０と、コネクタ嵌合室３５内に設けられてフード部２２の先端２２ａの押圧により弾性変形して内側ハウジング３２とフード部２２との間を密閉自在にし、一対のロックアーム２３，２３のロック突起（ロック部）２４，２４が雌コネクタ３０の外側ハウジング３４の一対の係止突起（係止部）３４ａ，３４ａに係止されるまでの両コネクタ２０，３０の半嵌合時に雄コネクタ２０を反嵌合方向（嵌合方向Ａの逆方向）Ｂに付勢して両コネクタ２０，３０を離間させる弾性力（復元力）を有するゴム材等から成る円筒体状の防水部材３８と、を備えている。
【００１４】
雄コネクタ２０のフード部２２内には、複数のピン状の雄端子２６を突設してある。この雄端子２６には電線２７が接続されている。
【００１５】
また、雄コネクタ２０の雄ハウジング２１の外周面には、雌ハウジング３１の外側ハウジング３４の外周面に一体突出形成された一対の係止突起３４ａ，３４ａにそれぞれ係止されるロック突起２４を有した一対のロックアーム２３，２３を一体突出形成してある。この時の係止保持力は、防水部材３８の反発力以上となる。
【００１６】
雌コネクタ３０の内側ハウジング３２は、円柱状に形成されており、複数の端子収容室３２ａを有している。この端子収容室３２ａに収容された円筒状の雌端子３６には電線３７が接続されている。
【００１７】
また、雌コネクタ３０のコネクタ嵌合室３５は、端子収容部となる内側ハウジング３２と、この内側ハウジング３２より円板状の隔壁３３を介して外側に設けられた外側ハウジング３４とで形成され、両コネクタ２０，３０の嵌合時にフード部２２がコネクタ嵌合室３５内に嵌合されることで、フード部２２の先端２２ａにより防水部材３８が押圧されて圧縮膨張し、内側ハウジング３２とフード部２２との間を密閉自在にしている。この時に発生する反発力は、コネクタ離脱力より大きくなっている。尚、防水部材３８の一端側は、隔壁３３の内面３３ａに取り付けられている。
【００１８】
また、弾性力を有する防水部材３８として、例えば、ニトリル系ゴム、フッ素系ゴム、シリコーン系ゴム、エチレンプロピレン系ゴム、クロロプレン系ゴム、ウレタン系ゴム等の各種ゴム材に可塑剤、酸化防止剤、加工助剤、充填剤、架橋剤等が配合された物で、下記の物理特性となるよう適時配合比率を調整した物を使用する。
【００１９】
＜物理特性＞
・ＪＩＳ  Ａ硬度：５０〜９０（最適は６０〜７５）
・引張強さ（ＭＰａ）：１２〜３２（最適は１７〜２６）
・伸び率（％）：１５０〜４００（最適は１８０〜３５０）
・弾性力（ＭＰａ）：０．３〜４０（最適は２〜１０）、ＭＰａ＝Ｎ／ｍｍ2
さらに、架橋処理された物を使用する。
【００２０】
以上実施形態の半嵌合防止防水コネクタ１０によれば、図３に示すように、雄，雌コネクタ２０，３０の半嵌合（中途嵌合）を防止するため、弾性力のある防水部材３８は、雄，雌コネクタ２０，３０が離間するコネクタ離脱力以上の反発力を持つことにより、雄コネクタ２０のロックアーム２３のロック突起２４が雌ハウジング３１の係止突起３４ａに係止されるるまで、雄コネクタ２０は雄端子２６と雌コネクタ３０の雌端子３６が接触しない状態まで押し戻され、半嵌合での導通が無くなる。
【００２１】
さらに、図４に示すように、弾性力のある防水部材３８は、雄ハウジング２１のロックアーム２３のロック突起２４と雌ハウジング３１の係止突起３４ａのロック強度以下の反発力を持つことにより、雄ハウジング２１のロックアーム２３のロック突起２４と雌ハウジング３１の係止突起３４ａの係止状態は保たれる。また、半嵌合防止防水コネクタ１０を防水するため、雄，雌コネクタ２０，３０の嵌合時に、弾性力のある防水部材３８をフード部２２の先端２２ａにより押圧して圧縮することで、雌ハウジング３１の内側ハウジング３２と弾性力のある防水部材３８が密着し、半嵌合防止防水コネクタ１０は防水機能を持つ。
【００２２】
このように、雄コネクタ２０のフード部２２と雌コネクタ３０の端子収容部としての内側ハウジング３２との間をシールする弾性力のある防水部材３８を、両コネクタ２０，３０の半嵌合時に雄コネクタ２０を反嵌合方向Ｂに付勢して両コネクタ２０，３０を離間させる付勢部材として兼用（半嵌合防止用と防水用を兼用）したことにより、その分、部品点数を削減することができ、組み立てが容易となって生産性を向上させることができる。また、バネ等の弾性部材を使用しないため、半嵌合防止防水コネクタ１０全体を小型化することができる。
【００２３】
尚、前記実施形態によれば、ロックアームのロック部が係止される雌ハウジングの係止部は、係止突起としたが、係止凹部としても良く、また、ロックアームも一対ではなく、３つ以上でも良い。さらに、雄、雌ハウジングを円筒状、円柱状に形成したが、矩形箱状、矩形体状に形成しても良い。
【実施例】
【００２４】
この実施例では、防水部材３８として架橋処理された下記の物理特性を有するシリコーンゴムを使用した。
【００２５】
＜物理特性＞
・ＪＩＳ  Ａ硬度：７０
・引張強さ（ＭＰａ）：２２
・伸び率（％）：３３０
・弾性力（ＭＰａ）：６（Ｎ／ｍｍ2）
また、防水部材３８のフード部２２の先端２２ａに対する接触部面積は、１１ｍｍ2で、弾性力（Ｎ）は、６６Ｎ（６ＭＰａ×１１ｍｍ2）の物を使用した。
【符号の説明】
【００２６】
１０  半嵌合防止防水コネクタ
２０  雄コネクタ（一方のコネクタ）
２２  フード部
２２ａ  先端
２３  ロックアーム
２４  ロック突起（ロック部）
２６  雄端子（一方の端子）
３０  雌コネクタ（他方のコネクタ）
３２  内側ハウジング（端子収容部）
３３  隔壁
３４  外側ハウジング
３４ａ  係止突起（係止部）
３５  コネクタ嵌合室
３６  雌端子（他方の端子）
Ａ  嵌合方向
Ｂ  反嵌合方向
【図１】
2018206657.tif 000003
【図２】
2018206657.tif 000004
【図３】
2018206657.tif 000005
【図４】
2018206657.tif 000006
【図５】
2018206657.tif 000007
【図６】
2018206657.tif 000008